(57)【要約】【課題】２つのスピーカーでサラウンド音響効果をシミュレーションすることができる音声出力装置を提供する【解決手段】  本発明の音声出力装置は、第１のディジタル信号を生成するディジタル信号生成装置、ディジタル信号生成装置に接続し、第１のディジタル信号を受け、選択信号を生成するデマルチプレクサー、デマルチプレクサーに接続し、選択信号を第１の処理信号に変換し、当該第１の処理信号を演算し、第２の処理信号に変換するドルビデコーダ、ドルビデコーダ（Ｄｏｌｂｙ  ｄｅｃｏｄｅｒ）に接続し、第２の処理信号を受け、変調信号を生成するパルス幅変調器、及びパルス幅変調器に接続し、変調信号を音声信号に変換する出力装置を有する。【選択図】図２
2006108725.tif 000002
【特許請求の範囲】
【請求項１】
第１のディジタル信号を生成するディジタル信号生成装置と、
前記ディジタル信号生成装置に接続し、前記第１のディジタル信号を受け、選択信号を生成するデマルチプレクサーと、
前記デマルチプレクサーに接続し、前記選択信号を第１の処理信号に変換し、当該第１の処理信号を演算し、第２の処理信号に変換するドルビデコーダと、
前記ドルビデコーダに接続し、前記第２の処理信号を受け、変調信号を生成するパルス幅変調器（Ｐｕｌｓｅ  Ｗｉｄｔｈ  Ｍｏｄｕｌａｔｉｏｎ，  ＰＷＭ）と、
前記パルス幅変調器に接続し、前記変調信号を音声信号に変換する出力装置と
を有する
音声出力装置。
【請求項２】
前記ドルビデコーダにおける前記第１の処理信号は、６チャンネルの出力信号を含む
請求項１に記載の音声出力装置。
【請求項３】
前記ドルビデコーダにおける前記第２の処理信号は、１チャンネルの音声シミュレーション信号を含む
請求項１に記載の音声出力装置。
【請求項４】
前記出力装置は、
前記変調信号を増幅する増幅器と、
前記増幅器に接続し、前記増幅された信号を音声信号に変換する一組のスピーカーと
を有する
請求項１に記載の音声出力装置。
【請求項５】
前記一組のスピーカーは、２つのスピーカーを含む
請求項４に記載の音声出力装置。
【請求項６】
前記ディジタル信号生成装置は、
ビデオ信号が入力されるビデオ・インターフェイスと、
前記ビデオ・インターフェイスに接続し、前記ビデオ信号をスイッチ信号に変換するスイッチと、
前記スイッチに接続し、前記スイッチ信号を前記第１のディジタル信号に変換するアナログ／ディジタル変換器と
を有する
請求項１に記載の音声出力装置。
【請求項７】
前記ディジタル信号生成装置は、
ビデオ信号が入力されるディジタル・チューナ・インターフェイスと、
前記ディジタル・チューナ・インターフェイスに接続し、前記ビデオ信号を前記第１のディジタル信号に変換するアナログ／ディジタル変換器と
を有する
請求項１に記載の音声出力装置。
【請求項８】
前記ビデオ信号は、アナログ信号である
請求項７に記載の音声出力装置。
【請求項９】
前記ディジタル信号生成装置は、
ビデオ信号が入力されるディジタル・チューナ・インターフェイスと、
前記ディジタル・チューナ・インターフェイスに接続し、前記ビデオ信号を第１のビデオ信号に変換するディジタル音響出力インターフェイスと
前記ディジタル音響出力インターフェイスに接続し、前記第１のビデオ信号を前記第１のディジタル信号に変換するトランシーバーと
を有する
請求項１に記載の音声出力装置。
【請求項１０】
前記ビデオ信号は、ディジタル信号である
請求項９に記載の音声出力装置。
【請求項１１】
前記ディジタル信号生成装置は、
ビデオ信号が入力されるファイバー同軸インターフェイスと、
前記ファイバー同軸インターフェイスに接続し、前記ビデオ信号を前記第１のディジタル信号に変換するトランシーバーと
を有する
請求項１に記載の音声出力装置。
【請求項１２】
前記音声出力装置は、背面投影型テレビである
請求項１に記載の音声出力装置。
【発明の詳細な説明】
【技術分野】
【０００１】
本発明は音声出力装置に関し、特に、背面投影型テレビに用いる音声出力装置に関する。
【背景技術】
【０００２】
図１は、従来のサラウンド音響を発生する音声装置を示す。
【０００３】
図１に示すように、従来、サラウンド音響効果を得るために、音声出力装置は少なくとも５つのスピーカーを用いて音声を出力する必要がある。これら５つのスピーカーは、それぞれ聴者の前方、右前方、左前方、右後方、左後方に配設され、音声を出力し、サラウンド音響効果を発生する。しかし、図１のような音声出力装置は、大きなスペースし必要とするので、製品のコストが高い。
【０００４】
一方、現在使われている背面投影型テレビは２つのスピーカーしか有しておらず、そのため、５つのスピーカーで得られるサラウンド音響効果は得られない。本発明は、この問題を解決することができる背面投影型テレビに用いる音声出力装置を提供する。
【０００５】
本発明は、米国ドルビ（Ｄｏｌｂｙ）実験室が開発したドルビ・バーチャル・スピーカー技術（Ｄｏｌｂｙ  Ｖｉｒｔｕａｌ  Ｓｐｅａｋｅｒ  Ｔｅｃｈｎｏｌｏｇｙ）を用い、例えば、米国特許第５５０２７４７号に開示されたように、ドルビ・ディジタル復号化された音声信号について、ドルビ・バーチャル・スピーカー・デコーダによりディジタル信号処理を行い、これにより、背面投影型テレビの２つのスピーカーで、ドルビ・ディジタル音響効果から、ドルビ・ディジタルのサラウンド音響効果をシミュレーションする。
【発明の開示】
【発明が解決しようとする課題】
【０００６】
本発明の一の目的は、２つのスピーカーで、サラウンド音響効果をシミュレーションすることができる音声出力装置を提供することにある。
【０００７】
本発明の他の目的は、２つのスピーカーを備え、サラウンド音響効果をシミュレーションすることができる背面投影型テレビを提供することにある。
【課題を解決するための手段】
【０００８】
以上の目的を達成するために、本発明の音声出力装置は、第１のディジタル信号を生成するディジタル信号生成装置、前記ディジタル信号生成装置に接続し、前記第１のディジタル信号を受け、選択信号を生成するデマルチプレクサー、前記デマルチプレクサーに接続し、前記選択信号を第１の処理信号に変換し、当該第１の処理信号を演算し、第２の処理信号に変換するドルビデコーダ、前記ドルビデコーダに接続し、前記第２の処理信号を受け、変調信号を生成するパルス幅変調器（Ｐｕｌｓｅ  Ｗｉｄｔｈ  Ｍｏｄｕｌａｔｉｏｎ，  ＰＷＭ）、及び前記パルス幅変調器に接続し、前記変調信号を音声信号に変換する出力装置を有する。
【発明の効果】
【０００９】
本発明の音声出力装置は、ドルビデコーダによりディジタル信号を演算し処理信号に変換し、また、音声信号を生成する。これによって、テレビの２チャンネルのスピーカーで、ドルビ・ディジタルのサラウンド音響効果をシミュレーションすることができる。よって、家電の音響効果が向上され、従来の５つのスピーカーの構成に必要とされる空間及びコストを削減できる。
【発明を実施するための最良の形態】
【００１０】
次に、添付した図面を参照しながら、本発明の音声出力装置の実施形態を説明する。
【００１１】
図２は、本発明の実施形態に係る音声出力装置２０の構成例を示すブロック図である。音声出力装置２０は、例えば、映像・音声を出力するビデオシステムに用いることができる。
【００１２】
図２に示すように、音声出力装置２０は、ディジタル信号生成装置２２、デマルチプレクサー２４、ドルビデコーダ（Ｄｏｌｂｙ  ｄｅｃｏｄｅｒ）２６、パルス幅変調器２８、及び出力装置３０を備えている。
【００１３】
ディジタル信号生成装置２２は、第１のディジタル信号２３を生成する。
【００１４】
デマルチプレクサー２４は、ディジタル信号生成装置２２に接続し、第１のディジタル信号２３を受け、選択信号２５を生成する。
【００１５】
ドルビデコーダ２６は、デマルチプレクサー２４に接続し、選択信号２５を受け、第１の処理信号（図示されていない）に変換し、当該第１の処理信号を演算し、第２の処理信号２９に変換する。
【００１６】
一例として、ドルビデコーダ２６における第１の処理信号は、６チャンネルの出力信号を含み、該６チャンネルの出力信号は、ドルビ・バーチャル・スピーカーが出力する６チャンネルの信号である。
【００１７】
さらに、一例として、ドルビデコーダ２６における第２の処理信号２９は、１チャンネルの音声シミュレーション信号を含み、該１チャンネルの音声シミュレーション信号は、第１の処理信号に対して演算を行い音声シミュレーション信号に変換して得られるものである。
【００１８】
パルス幅変調器２８は、ドルビデコーダ２６に接続し、第２の処理信号２９を受け、変調信号３１を生成する。
【００１９】
出力装置３０は、パルス幅変調器２８に接続し、変調信号３１を音声信号に変換する。
【００２０】
図３は、音声出力装置２０における出力装置３０の構成例を示すブロック図である。
【００２１】
図３に示すように、出力装置３０は、増幅器３２、及び一組のスピーカー３４を備えている。
【００２２】
増幅器３２は、変調信号３１を増幅し、増幅された信号３５を出力する。
【００２３】
一組のスピーカー３４は、増幅器３２に接続し、増幅された信号３５を音声信号３３に変換する。
【００２４】
一例として、一組のスピーカー３４は、２つのスピーカーを含み、増幅器３２は、
変調信号３１を増幅し、信号３５を出力し、スピーカー組３４の２つのスピーカーは、信号３５を音声信号３３に変換して出力する。
【００２５】
これにより、２チャンネルのスピーカーにより、５チャンネルのスピーカーにより発生されるサラウンド音響効果が得られる。
【００２６】
例えば、音声出力装置２０は、背面投影型テレビである。
【００２７】
ディジタル信号生成装置２２は、次のように第１のディジタル信号２３を生成する。
【００２８】
図４は、一実施形態としてディジタル信号生成装置４０の構成例を示すブロック図である。
【００２９】
ディジタル信号生成装置４０は、ビデオ・インターフェイス４２、スイッチ４４、及びアナログ／ディジタル変換器（ＡＤＣ）４６を備えている。
【００３０】
ビデオ・インターフェイス４２は、ビデオ信号４１を受け、スイッチ４４に入力する。
【００３１】
スイッチ４４は、ビデオ・インターフェイス４２に接続し、ビデオ信号４１をスイッチ信号４３に変換する。
【００３２】
ＡＤＣ４６は、スイッチ４４に接続し、スイッチ信号４３を第１のディジタル信号２３に変換する。
【００３３】
図５は、一実施形態としてディジタル信号生成装置５０の構成例を示すブロック図である。
【００３４】
ディジタル信号生成装置５０は、ディジタル・チューナ（ｄｉｇｉｔａｌ  ｔｕｎｅｒ）・インターフェイス５２、及びアナログ／ディジタル変換器（ＡＤＣ）５４を備えている。
【００３５】
ディジタル・チューナ・インターフェイス５２は、ビデオ信号５１を受け、ＡＤＣ５４に入力する。
【００３６】
ＡＤＣ５４は、ディジタル・チューナ・インターフェイス５２に接続し、ビデオ信号を前記第１のディジタル信号２３に変換する。
【００３７】
例えば、ビデオ信号５１は、アナログ信号である。
【００３８】
図６は、一実施形態としてディジタル信号生成装置６０の構成例を示すブロック図である。
【００３９】
ディジタル信号生成装置６０は、ディジタル・チューナ・インターフェイス６２、ディジタル音響出力インターフェイス（例えば、Ｓｏｎｙ／Ｐｈｉｌｉｐｓ  Ｄｉｇｉｔａｌ  Ｉｎｔｅｒｆａｃｅ，  Ｓ／ＰＤＩＦ）６４、及びトランシーバー６６を備えている。
【００４０】
ディジタル・チューナ・インターフェイス６２は、ビデオ信号６１を受け、ディジタル音響出力インターフェイス６４に入力する。
【００４１】
ディジタル音響出力インターフェイス６４は、ディジタル・チューナ・インターフェイス６２に接続し、ビデオ信号６１を受け、第１のビデオ信号６３に変換する。
【００４２】
トランシーバー６６は、ディジタル音響出力インターフェイス６４に接続し、第１のビデオ信号６３を第１のディジタル信号２３に変換する。
【００４３】
例えば、ビデオ信号６１は、ディジタル信号である。
【００４４】
図７は、一実施形態としてディジタル信号生成装置７０の構成例を示すブロック図である。
【００４５】
ディジタル信号生成装置７０は、ファイバー同軸インターフェイス７２、及びトランシーバー７４を備えている。
【００４６】
ファイバー同軸インターフェイス７２は、ビデオ信号７１を受け、トランシーバー７４に入力する。
【００４７】
トランシーバー７４は、ファイバー同軸インターフェイス７２に接続し、ビデオ信号７１を第１のディジタル信号２３に変換する。
【００４８】
従来、２つのスピーカーは２チャンネルの音場しか出力できず、サラウンド音響効果は、５つのスピーカーでしか得られなかったが、本発明の音声出力装置により、２つのスピーカーにより、サラウンド音響効果をシミュレーションすることができる。
【００４９】
本発明は、ドルビ・バーチャル・スピーカー技術をディジタル家電に応用して、ドルビ・ディジタル符号化された音声信号は、ディジタル信号処理がなされ、これにより、ドルビ・ディジタル音響効果はテレビにおける２つのスピーカーでシミュレーションされ得るようになる。
【００５０】
本発明は、例えば、背面投影型テレビや、プラズマテレビ、及び液晶テレビなどの映像表示装置に応用できる。
【００５１】
本発明により、家電の音響効果が向上される。また、テレビが占めるスペースを減少することができ、従来の５つのスピーカーによる高いコストを削減でき、商業上の効果が大きい。
【００５２】
以上、本発明の好ましい実施形態を説明したが、本発明はこれらの実施形態に限定されず、本発明の趣旨を離脱しない限り、本発明に対するあらゆる変更は本発明の範囲に属する。
【図面の簡単な説明】
【００５３】
【図１】従来のサラウンド音響を発生する音声装置の概略図である。
【図２】本発明の実施形態に係る音声出力装置２０の構成例を示すブロック図である。
【図３】音声出力装置２０における出力装置３０の構成例を示すブロック図である。
【図４】ディジタル信号生成装置の一構成例を示すブロック図である。
【図５】ディジタル信号生成装置の他の一構成例を示すブロック図である。
【図６】ディジタル信号生成装置の他の一構成例を示すブロック図である。
【図７】ディジタル信号生成装置の他の一構成例を示すブロック図である。
【符号の説明】
【００５４】
２０          音声出力装置２０
２２、４０、５０、６０、７０    ディジタル信号生成装置
２３          第１の処理信号
２４          デマルチプレクサー
２６          ドルビデコーダ（Ｄｏｌｂｙ  ｄｅｃｏｄｅｒ）
２８          パルス幅変調器
２９          第２の処理信号
３０          出力装置
３１          変調信号
３２          増幅器
３４          一組のスピーカー
４１、５１、６１、７１    ビデオ信号
４２          ビデオ・インターフェイス
４３          スイッチ信号
４４          スイッチ
４６          アナログ／ディジタル変換器（ＡＤＣ）４６
５２、６２    ディジタル・チューナ・インターフェイス
６３          第１のビデオ信号
６４          ディジタル音響出力インターフェイス
６６、７４    トランシーバー
７２          ファイバー同軸インターフェイス
【図１】
2006108725.tif 000003
【図２】
2006108725.tif 000004
【図３】
2006108725.tif 000005
【図４】
2006108725.tif 000006
【図５】
2006108725.tif 000007
【図６】
2006108725.tif 000008
【図７】
2006108725.tif 000009